【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
送信ワイヤレス通信デバイスにおけるポーラー符号化の方法であって、
信頼度の順に維持された最終ビットロケーションのマスターシーケンスにアクセスするステップであって、前記マスターシーケンスは、密度進化を使用して生成され、同じレートレベルを有する複数のコードレートを含むコードレートベクトルにわたってネストされ、前記マスターシーケンスは最大長を含む、ステップと、
前記最大長未満のブロック長を含む情報ブロックに対して前記マスターシーケンスからビットロケーションシーケンスを生成するステップであって、前記ビットロケーションシーケンスは、前記マスターシーケンスに従って信頼度の順に並べられた、前記ブロック長に対応する数の前記最終ビットロケーションを含む、ステップと、
前記ビットロケーションシーケンスに基づいて、前記情報ブロック中の情報ビットロケーションおよび凍結ビットロケーションを識別するステップと、
前記情報ブロックの前記情報ビットロケーションに情報ビットを、および前記情報ブロックの前記凍結ビットロケーションに凍結ビットを配置するステップと、
前記情報ブロックをポーラー符号化して、ポーラーコードワードを作り出すステップと、
ワイヤレスエアインターフェースを介して、前記ポーラーコードワードを受信ワイヤレス通信デバイスに送信するステップとを含む方法。
【請求項２】
前記情報ブロック中の前記情報ビットロケーションおよび前記凍結ビットロケーションを識別するステップは、
コードレートおよび前記ビットロケーションシーケンスに基づいて、前記情報ブロックの、第1の数のオリジナルビットロケーションを、前記情報ビットロケーションとして識別するステップと、
前記情報ブロックの、残りの数の前記オリジナルビットロケーションを前記凍結ビットロケーションとして識別するステップとをさらに含み、
前記情報ビットロケーションの各々は、前記ビットロケーションシーケンスに基づいて、前記凍結ビットロケーションの各々よりも高い信頼度を有する、請求項1に記載の方法。
【請求項３】
前記最終ビットロケーションは、前記情報ブロックの前記オリジナルビットロケーションの各々を含み、前記情報ブロックに対して前記マスターシーケンスから前記ビットロケーションシーケンスを生成するステップは、
前記ビットロケーションシーケンスを作り出すために、前記マスターシーケンスから前記オリジナルビットロケーションの各々を選択するステップであって、前記オリジナルビットロケーションは、前記ビットロケーションシーケンス中で、前記マスターシーケンスの前記信頼度の順で並べられる、ステップをさらに含む、請求項2に記載の方法。
【請求項４】
前記情報ブロック中の前記情報ビットロケーションおよび前記凍結ビットロケーションを識別するステップは、
前記ポーラーコードワード中の対応するコード化ビットロケーションをパンクチャリングするための、初期パンクチャドビットロケーションを含む初期パンクチャリングパターンを生成するステップと、
前記初期パンクチャリングパターンに対してビット反転置換を実施して、最終パンクチャドビットロケーションを含む最終パンクチャリングパターンを作り出すステップと、
前記情報ブロックの前記最終パンクチャドビットロケーションに凍結ビットを配置するステップと、
前記ビットロケーションシーケンスに基づいて、前記情報ブロック中の非パンクチャドビットロケーションから前記情報ブロック中の前記情報ビットロケーションおよび前記凍結ビットロケーションを識別するステップとをさらに含む、請求項1に記載の方法。
【請求項５】
前記マスターシーケンスは、最も高い信頼度を含む第1の最終ビットロケーションと、最も低い信頼度を含む最後の最終ビットロケーションとを含む、
または、前記マスターシーケンスは、最も低い信頼度を含む第1の最終ビットロケーションと、最も高い信頼度を含む最後の最終ビットロケーションとを含む、請求項1に記載の方法。
【請求項６】
ポーラー符号化のために構成された装置であって、前記装置は、
信頼度の順に維持された最終ビットロケーションのマスターシーケンスにアクセスするための手段であって、前記マスターシーケンスは、密度進化を使用して生成され、同じレートレベルを有する複数のコードレートを含むコードレートベクトルにわたってネストされ、前記マスターシーケンスは最大長を含む、手段と、
前記最大長未満のブロック長を含む情報ブロックに対して前記マスターシーケンスからビットロケーションシーケンスを生成するための手段であって、前記ビットロケーションシーケンスは、前記マスターシーケンスに従って信頼度の順に並べられた、前記ブロック長に対応する数の前記最終ビットロケーションを含む、手段と、
前記ビットロケーションシーケンスに基づいて、前記情報ブロック中の情報ビットロケーションおよび凍結ビットロケーションを識別するための手段と、
前記情報ブロックの前記情報ビットロケーションに情報ビットを、および前記情報ブロックの前記凍結ビットロケーションに凍結ビットを配置するための手段と、
前記情報ブロックをポーラー符号化して、ポーラーコードワードを作り出すための手段と、
ワイヤレスエアインターフェースを介して、前記ポーラーコードワードを受信ワイヤレス通信デバイスに送信するための手段とを備える装置。
【請求項７】
前記情報ブロック中の前記情報ビットロケーションおよび前記凍結ビットロケーションを識別するための手段は、
コードレートおよび前記ビットロケーションシーケンスに基づいて、前記情報ブロックの、第1の数のオリジナルビットロケーションを、前記情報ビットロケーションとして識別するための手段と、
前記情報ブロックの、残りの数の前記オリジナルビットロケーションを前記凍結ビットロケーションとして識別するための手段とをさらに備え、
前記情報ビットロケーションの各々は、前記ビットロケーションシーケンスに基づいて、前記凍結ビットロケーションの各々よりも高い信頼度を有し、
前記最終ビットロケーションは、前記情報ブロックの前記オリジナルビットロケーションの各々を含み得るし、前記情報ブロックに対して前記マスターシーケンスから前記ビットロケーションシーケンスを生成するための手段は、
前記ビットロケーションシーケンスを作り出すために、前記マスターシーケンスから前記オリジナルビットロケーションの各々を選択するための手段であって、前記オリジナルビットロケーションは、前記ビットロケーションシーケンス中で、前記マスターシーケンスの前記信頼度の順で並べられ得る、手段をさらに備え得る、請求項6に記載の装置。
【請求項８】
前記情報ブロック中の前記情報ビットロケーションおよび前記凍結ビットロケーションを識別するための手段は、
前記ポーラーコードワード中の対応するコード化ビットロケーションをパンクチャリングするための、初期パンクチャドビットロケーションを含む初期パンクチャリングパターンを生成するための手段と、
前記初期パンクチャリングパターンに対してビット反転置換を実施して、最終パンクチャドビットロケーションを含む最終パンクチャリングパターンを作り出すための手段と、
前記情報ブロックの前記最終パンクチャドビットロケーションに凍結ビットを配置するための手段と、
前記ビットロケーションシーケンスに基づいて、前記情報ブロック中の非パンクチャドビットロケーションから前記情報ブロック中の前記情報ビットロケーションおよび前記凍結ビットロケーションを識別するための手段とをさらに備える、請求項6に記載の装置。
【請求項９】
前記マスターシーケンスは、最も高い信頼度を含む第1の最終ビットロケーションと、最も低い信頼度を含む最後の最終ビットロケーションとを含む、
または、前記マスターシーケンスは、最も低い信頼度を含む第1の最終ビットロケーションと、最も高い信頼度を含む最後の最終ビットロケーションとを含む、請求項6に記載の装置。
【請求項１０】
コンピュータ実行可能コードを記憶するコンピュータ可読記憶媒体であって、前記コンピュータ実行可能コードは、
信頼度の順に維持された最終ビットロケーションのマスターシーケンスにアクセスすることであって、前記マスターシーケンスは、密度進化を使用して生成され、同じレートレベルを有する複数のコードレートを含むコードレートベクトルにわたってネストされ、前記マスターシーケンスは最大長を含む、アクセスすることと、
前記最大長未満のブロック長を含む情報ブロックに対して前記マスターシーケンスからビットロケーションシーケンスを生成することであって、前記ビットロケーションシーケンスは、前記マスターシーケンスに従って信頼度の順に並べられた、前記ブロック長に対応する数の前記最終ビットロケーションを含む、生成することと、
前記ビットロケーションシーケンスに基づいて、前記情報ブロック中の情報ビットロケーションおよび凍結ビットロケーションを識別することと、
前記情報ブロックの前記情報ビットロケーションに情報ビットを、および前記情報ブロックの前記凍結ビットロケーションに凍結ビットを配置することと、
前記情報ブロックをポーラー符号化して、ポーラーコードワードを作り出すことと、
ワイヤレスエアインターフェースを介して、前記ポーラーコードワードを受信ワイヤレス通信デバイスに送信することとを行うためのコードを含む、コンピュータ可読記憶媒体。
【請求項１１】
コードレートおよび前記ビットロケーションシーケンスに基づいて、前記情報ブロックの、第1の数のオリジナルビットロケーションを、前記情報ビットロケーションとして識別することと、
前記情報ブロックの、残りの数の前記オリジナルビットロケーションを前記凍結ビットロケーションとして識別することとを行うためのコードをさらに含み、
前記情報ビットロケーションの各々は、前記ビットロケーションシーケンスに基づいて、前記凍結ビットロケーションの各々よりも高い信頼度を有する、請求項10に記載のコンピュータ可読記憶媒体。
【請求項１２】
前記最終ビットロケーションは、前記情報ブロックの前記オリジナルビットロケーションの各々を含み、
前記ビットロケーションシーケンスを作り出すために、前記マスターシーケンスから前記オリジナルビットロケーションの各々を選択することであって、前記オリジナルビットロケーションは、前記ビットロケーションシーケンス中で、前記マスターシーケンスの前記信頼度の順で並べられる、選択することを行うためのコードをさらに含む、請求項11に記載のコンピュータ可読記憶媒体。
【請求項１３】
前記ポーラーコードワード中の対応するコード化ビットロケーションをパンクチャリングするための、初期パンクチャドビットロケーションを含む初期パンクチャリングパターンを生成することと、
前記初期パンクチャリングパターンに対してビット反転置換を実施して、最終パンクチャドビットロケーションを含む最終パンクチャリングパターンを作り出すことと、
前記情報ブロックの前記最終パンクチャドビットロケーションに凍結ビットを配置することと、
前記ビットロケーションシーケンスに基づいて、前記情報ブロック中の非パンクチャドビットロケーションから前記情報ブロック中の前記情報ビットロケーションおよび前記凍結ビットロケーションを識別することとを行うためのコードをさらに含む、請求項10に記載のコンピュータ可読記憶媒体。
【請求項１４】
前記マスターシーケンスは、最も高い信頼度を含む第1の最終ビットロケーションと、最も低い信頼度を含む最後の最終ビットロケーションとを含む、
または、前記マスターシーケンスは、最も低い信頼度を含む第1の最終ビットロケーションと、最も高い信頼度を含む最後の最終ビットロケーションとを含む、請求項10に記載のコンピュータ可読記憶媒体。
【請求項１５】
命令を備えたコンピュータプログラムであって、前記命令は、1つまたは複数のプロセッサによって実行されると、前記1つまたは複数のプロセッサに、請求項1から5のいずれか一項に記載の方法を行わせる、コンピュータプログラム。